(57)【要約】【課題】本発明は、絶縁被覆１０２側からの水分の侵入を確実に防止することができる圧着接続構造体１、メス型コネクタ３１、及び圧着接続構造体１の製造方法を提供することを目的とする。【解決手段】アルミニウム芯線１０１を絶縁被覆１０２で被覆した被覆電線１００と、少なくとも露出させた導体露出部１０３の圧着接続を許容する圧着部２３０を有する圧着端子２００とを備え、圧着部２３０で導体露出部１０３を圧着接続した圧着接続構造体１、及び圧着接続構造体１の製造方法であって、圧着部２３０を、導体露出部１０３及び絶縁被覆１０２を挿入許容するとともに、被覆電線１００の長手方向Ｘに延びる略筒状のクローズドバレル形式とし、圧着部２３０の後端近傍に、長手方向Ｘに沿って形成した止水部３００を備え、止水部３００を、少なくとも圧着部２３０の外周面から絶縁被覆１０２の外周面にかけて連続するように形成したことを特徴とする。【選択図】図１
2014220167.tif 000002
【特許請求の範囲】
【請求項１】
導電性の電線導体を絶縁性の絶縁被覆で被覆した被覆電線と、
少なくとも、前記絶縁被覆の先端近傍を除去して前記電線導体を露出させた導体露出部の圧着接続を許容する圧着部を有する圧着端子とを備え、
前記圧着部で前記導体露出部を圧着して接続した圧着接続構造体であって、
前記圧着端子における前記圧着部を、
前記導体露出部及び前記絶縁被覆先端近傍を挿入許容するとともに、前記被覆電線の長手方向に延びる略筒状のクローズドバレル形式とし、
前記長手方向における前記絶縁被覆と前記圧着部の端部との境界近傍に、
前記長手方向に沿って形成した止水部を備え、
該止水部を、
少なくとも前記圧着部の外周面から前記絶縁被覆の外周面にかけて連続するように形成した
圧着接続構造体。
【請求項２】
前記止水部を、
硬化性の合成樹脂材を塗布するとともに、硬化させて形成した
請求項１に記載の圧着接続構造体。
【請求項３】
前記止水部を、
前記絶縁被覆の周方向における全周に沿って形成した
請求項１または請求項２に記載の圧着接続構造体。
【請求項４】
前記圧着部と前記絶縁被覆とを圧着接続した状態において、
前記止水部を、
前記絶縁被覆の周方向における所定の範囲に形成した
請求項１または請求項２に記載の圧着接続構造体。
【請求項５】
前記圧着部における前記導体露出部側に、
前記長手方向に向けて延設するとともに、前記長手方向における先端を封止した封止部を備えた
請求項１から請求項４のいずれか１つに記載の圧着接続構造体。
【請求項６】
前記電線導体を、アルミ系材料で構成するとともに、
少なくとも前記圧着部を、銅系材料で構成した
請求項１から請求項５のいずれか１つに記載の圧着接続構造体。
【請求項７】
請求項１から請求項６に記載の圧着接続構造体における圧着端子をコネクタハウジング内に配置した
コネクタ。
【請求項８】
導電性の電線導体を絶縁性の絶縁被覆で被覆した被覆電線と、少なくとも、前記絶縁被覆の先端近傍を除去して前記電線導体を露出させた導体露出部の圧着接続を許容する圧着部を有する圧着端子とを備え、前記圧着部で前記導体露出部を圧着して接続した圧着接続構造体の製造方法であって、
前記被覆電線の長手方向に延びる略筒状のクローズドバレル形式の前記圧着端子における前記圧着部に、前記導体露出部及び前記絶縁被覆先端近傍を挿入し、
少なくとも前記圧着部と前記導体露出部とを圧着して、
前記圧着端子と前記被覆電線とが圧着接続した圧着接続状態において、
前記長手方向における前記絶縁被覆と前記圧着部の端部との境界近傍に、
少なくとも前記圧着部の外周面から前記絶縁被覆の外周面にかけて連続するように、前記長手方向に沿って止水部を形成する
圧着接続構造体の製造方法。
【発明の詳細な説明】
【技術分野】
【０００１】
この発明は、例えば自動車用ワイヤーハーネスのコネクタ等に装着されるような圧着接続構造体、コネクタ、及び圧着接続構造体の製造方法に関する。
【背景技術】
【０００２】
自動車等に装備された電装機器は、被覆電線を束ねたワイヤーハーネスを介して、別の電装機器や電源装置と接続して電気回路を構成している。この際、ワイヤーハーネスと電装機器や電源装置とは、それぞれに装着したコネクタ同士を雌雄嵌合することで接続されている。そして、コネクタの内部には、被覆電線と圧着端子とを接続した圧着接続構造体における圧着端子が装着されている。
【０００３】
このようなコネクタは、様々な環境下で使用されているため、雰囲気温度の変化による結露などによって意図しない水分が被覆電線の表面に付着することがある。そして、被覆電線の表面を伝ってコネクタ内部、及び圧着端子に水分が侵入すると、被覆電線の先端より露出している電線導体の表面が腐食するという問題がある。  
そこで、圧着端子で圧着された電線導体への水分の侵入を防止する様々な技術が提案されている。
【０００４】
例えば、特許文献１に記載の圧着端子は、被覆電線における電線導体の露出部分、及び被覆体の前端近傍を囲繞して圧着部を形成して、被覆電線を圧着接続するバレル片を備えるとともに、バレル片における被覆体側の内面に、被覆電線の長手方向と直交する方向に沿って略帯状の幅方向シールを設けている。この幅方向シールにより、特許文献１の圧着端子は、被覆体側から圧着部の内部に水分が侵入することを防止するとされている。
【０００５】
しかしながら、自動車のエンジンルームなどのように過酷な環境下において、特許文献１の圧着端子は、経年劣化や熱影響によって、幅方向シールの接着力が低下して、止水性が低下することがある。  
また、幅方向シールの代わりに、例えば、バレル片の内面に凹凸形状のセレーションを形成し、凹凸形状が被覆体に食い込むことで止水性を向上した圧着端子の場合、熱影響によって圧着端子が熱膨張する、あるいは絶縁被覆の劣化が促進することで、被覆圧着部が絶縁被覆を圧縮する圧縮力が低下することがある。これにより、圧着接続構造体は、被覆圧着部と絶縁被覆との間に水分の侵入経路が形成されるおそれがあった。
【０００６】
このため、圧着部の内周面と絶縁被覆の外周面との隙間を閉塞するように、被覆電線に対して圧着端子を圧着のみによって接続した圧着接続構造体では、絶縁被覆側から圧着部の内部に水分が侵入して、安定した止水性を確保できないという問題があった。
【先行技術文献】
【特許文献】
【０００７】
【特許文献１】特開２０１２−６９４４９号公報
【発明の概要】
【発明が解決しようとする課題】
【０００８】
本発明は、上述の問題に鑑み、絶縁被覆側からの水分の侵入を確実に防止することができる圧着接続構造体、コネクタ、及び圧着接続構造体の製造方法を提供することを目的とする。
【課題を解決するための手段】
【０００９】
この発明は、導電性の電線導体を絶縁性の絶縁被覆で被覆した被覆電線と、少なくとも、前記絶縁被覆の先端近傍を除去して前記電線導体を露出させた導体露出部の圧着接続を許容する圧着部を有する圧着端子とを備え、前記圧着部で前記導体露出部を圧着して接続した圧着接続構造体、及び圧着接続構造体の製造方法であって、前記圧着端子における前記圧着部を、前記導体露出部及び前記絶縁被覆先端近傍を挿入許容するとともに、前記被覆電線の長手方向に延びる略筒状のクローズドバレル形式とし、前記長手方向における前記絶縁被覆と前記圧着部の端部との境界近傍に、前記長手方向に沿って形成した止水部を備え、該止水部を、少なくとも前記圧着部の外周面から前記絶縁被覆の外周面にかけて連続するように形成したことを特徴とする。  
上記止水部は、防水性を有する合成樹脂材などで構成することができ、電線導体の周方向における全周、あるいは周方向における一部の範囲に形成することができる。また、止水部は、塗布やモールド成形などによって形成することができる。
【００１０】
この発明により、絶縁被覆側からの水分の侵入を確実に防止することができる。  
具体的には、少なくとも圧着部の外周面から絶縁被覆の外周面にかけて連続するように形成しているため、止水部は、圧着部の外周面、圧着部と絶縁被覆との段差、及び絶縁被覆の外周面に密着することができる。
【００１１】
このため、例えば、圧着部と絶縁被覆とを圧着接続した場合、圧着部の内外径変化や絶縁被覆の外径変化などによって、圧着部が絶縁被覆を圧縮する圧縮力が低下し、圧着部と絶縁被覆との間に水分の侵入経路が形成されても、圧着接続構造体は、止水部により絶縁被覆側から圧着部の内部への水分の侵入を防止することができる。
【００１２】
あるいは、配索状態や振動によって被覆電線が湾曲することで、圧着部と絶縁被覆との間に隙間が生じても、圧着接続構造体は、止水部により絶縁被覆側からの圧着部への水分の侵入を防止することができる。  
これにより、圧着接続構造体、及び圧着接続構造体の製造方法は、長期間に渡って安定した止水性を確保することができるため、安定した導電性を確保することができる。
【００１３】
加えて、圧着部と絶縁被覆とを熱収縮チューブで覆った場合、熱収縮チューブを装着する工程、及び熱収縮チューブを過熱する工程が必要であるのに対して、圧着接続構造体、及び圧着接続構造体の製造方法は、例えば、塗布やモールド成形などによって、止水部を容易に形成することができる。
【００１４】
さらに、例えば圧着部における導体露出部側の端部をシールする、あるいは封止することで、圧着部の長手方向両端から内部に水分が侵入することを確実に防止することができる。  
従って、圧着接続構造体、及び圧着接続構造体の製造方法は、長期間に渡って絶縁被覆側からの水分の侵入を確実に防止することができ、安定した導電性を確保することができる。
【００１５】
この発明の態様として、前記止水部を、硬化性の合成樹脂材を塗布するとともに、硬化させて形成することができる。  
上記合成樹脂材は、エポキシ系樹脂、シリコン系樹脂、ウレタン系樹脂、あるいはアクリル系樹脂などとすることができる。  
上記硬化させるとは、熱硬化させる、紫外線硬化させる、湿気硬化させる、空気遮断により硬化させる、あるいは化学反応などにより硬化させることを含むことができる。
【００１６】
より詳しくは、上記硬化性の合成樹脂は、例えば、熱、紫外線、外力などの外的要因により誘発される化学反応によって、又は、硬化剤、水分などの外的要因との化学反応によって、硬化する樹脂（化学反応型硬化樹脂）とすることができる。  
化学反応型硬化樹脂としては、例えば、熱硬化性樹脂、熱可塑性樹脂、紫外線（ＵＶ）硬化樹脂、硬化剤混合型樹脂、湿気硬化型樹脂、嫌気硬化型樹脂、或いは、加圧により硬化する加圧硬化樹脂を挙げることができる。
【００１７】
具体的には、熱硬化性樹脂としては、例えば、フェノール樹脂、エポキシ樹脂、メラミン樹脂、尿素樹脂（ユリア樹脂）、不飽和ポリエステル樹脂、アルキド樹脂、ポリウレタン、熱硬化性ポリイミドなどすることができる。  
また、熱可塑性樹脂としては、例えば、ポリエチレン、ポリプロピレン、ポリ塩化ビニル、ポリスチレン、ポリ酢酸ビニル、ＡＢＳ樹脂（アクリロニトリルブタジエンスチレン樹脂）、ＡＳ樹脂、アクリル樹脂（ＰＭＭＡ）などすることができる。
【００１８】
また、紫外線（ＵＶ）硬化樹脂としては、例えば、アクリルレート、不飽和ポリエステルを主成分とするラジカル型、又は、エポキシ、オキセタン、ビニルエーテルを主成分とするカチオン型などすることができる。  
例えば、ラジカル型としてのＵＶ硬化型シリコン樹脂の場合は、主成分である多官能性シリコンオリゴマーに、光重合開始剤を含有させたものであり、紫外線の照射を受けると、この光重合開始剤が励起状態となって前記シリコンオリゴマーを重合させるためのラジカルを生成する構成となっている。
【００１９】
また、硬化剤混合型樹脂としては、エポキシ樹脂などの本剤と硬化剤との２液を混合させて硬化する樹脂などすることができる。  
また、湿気硬化型樹脂は、触媒の存在下、例えば、空気中の湿気と反応して硬化する樹脂であり、例えば、湿気硬化型シリコン樹脂や、湿気硬化型ウレタン系接着性樹脂などすることができる。  
また、嫌気硬化型樹脂は、金属部で空気を遮断すると硬化する樹脂であり、例えば、アクリレート系（アクリル系樹脂）などすることができる。
【００２０】
この発明により、圧着接続構造体は、外的要因による止水性の低下をより確実に防止して、安定した止水性と導電性とを確保することができる。  
具体的には、例えば、圧着端子及び被覆電線を熱収縮チューブで覆った場合、自動車のような過酷な使用環境下では、熱収縮チューブが劣化する、あるいは熱影響によって熱収縮チューブが軟化したり、膨張収縮することで、安定した止水性を確保できないおそれがある。
【００２１】
これに対して、合成樹脂で止水部を形成した場合、高温、低温、高湿度、紫外線等の使用環境に適した合成樹脂を選定することで、圧着接続構造体は、止水性が低下することを防止できる。このため、熱収縮チューブで覆って止水性を確保した場合に比べて、圧着接続構造体は、自動車のような過酷な使用環境下であっても、長期間に渡って安定した止水性を確保することができる。
【００２２】
さらに、振動などによる外力が被覆電線に加わった際、圧着接続構造体は、硬化させた止水部によって、圧着部における絶縁被覆側の端部に対する被覆電線の揺動角を小さくすることができる。このため、圧着接続構造体は、圧着部の端部と接触して絶縁被覆が損傷することを防止するとともに、圧着部の外周面及び絶縁被覆の外周面から止水部が容易に剥離することを防止できる。  
従って、圧着接続構造体は、合成樹脂材を硬化させて止水部を形成することで、外的要因による止水性の低下を防止するとともに、より長期間に渡って安定した止水性と導電性とを確保することができる。
【００２３】
また、この発明の態様として、前記止水部を、前記絶縁被覆の周方向における全周に沿って形成することができる。  
この発明により、圧着接続構造体は、より容易に止水性を向上するとともに、より安定した導電性を確保することができる。
【００２４】
具体的には、圧着部と絶縁被覆との境界が露出した圧着状態では外気と触れることにより、圧着部の腐食や絶縁被覆の劣化が生じることがある。このため、例えば、圧着部と絶縁被覆とを圧着接続した場合、圧着部と絶縁被覆との間に隙間が生じて止水性が低下するおそれがある。
【００２５】
これに対して、止水部を周方向における全周に形成することで、圧着接続構造体は、絶縁被覆と圧着部の端部との境界近傍において、圧着部及び絶縁被覆が外気と直接的に接触することを防止できる。このため、圧着接続構造体は、外気と触れることによる圧着部の腐食や絶縁被覆の劣化を止水部によって防止することができる。これにより、圧着接続構造体は、長期間に渡って安定した止水性、及び導電性を確保することができる。
【００２６】
さらに、周方向の全周に止水部を形成することで、圧着接続構造体は、圧着部と絶縁被覆とを圧着接続することなく、絶縁被覆側からの水分の侵入を防止することができる。このため、圧着接続構造体は、例えば、圧着部の内面における絶縁被覆と接する部分にセレーションを形成する、あるいは圧着部の内面と絶縁被覆との間に接着材を介在させることなどを不要にすることができる。  
従って、圧着接続構造体は、止水部を周方向に形成することで、より容易に止水性を向上するとともに、より安定した導電性を確保することができる。
【００２７】
また、この発明の態様として、前記圧着部と前記絶縁被覆とを圧着接続した状態において、前記止水部を、前記絶縁被覆の周方向における所定の範囲に形成することができる。  
上記所定の範囲は、圧着部による絶縁被覆の圧縮が不十分となる範囲などとすることができる。
【００２８】
この発明により、圧着接続構造体は、重量やサイズの増加を抑えて、より安定した止水性を確保することができる。  
具体的には、圧着部と絶縁被覆とを圧着接続することにより、圧着接続構造体は、圧着部が絶縁被覆を圧縮することで、圧着部の内周面と絶縁被覆の外周面との隙間を閉塞することができる。
【００２９】
この際、例えば、一対の雌雄金型で圧着部と絶縁被覆とを圧着接続すると、一対の雌雄金型の形状に沿って圧着端子の圧着部が塑性変形するため、圧着後の圧着部の外周面には、一対の雌雄金型の境界部分に沿ってパーティングラインのように突出した突出部分が形成される。
【００３０】
この圧着部における突出部分は、他の部分に対して塑性変形が十分でないため、他の部分に対して絶縁被覆を圧縮する圧縮力が小さい部分となる。換言すると、圧着部における突出部分は、絶縁被覆の反発力が不足して絶縁被覆との密着性が低下した部分となる。このため、圧着部と絶縁被覆とを圧着接続しても、圧着接続構造体は、絶縁被覆の圧縮率が小さい部分を介して圧着部の内部に水分が侵入するおそれがあった。
【００３１】
これに対して、周方向において、圧着部による絶縁被覆の圧縮が不十分となる範囲、つまり上述したような突出部分に対応する範囲に止水部を形成することにより、圧着接続構造体は、圧着部と絶縁被覆とを圧着接続した際における止水性を向上することができる。
【００３２】
さらに、圧着部と絶縁被覆とを圧着接続することで、圧着接続構造体は、必要最低限の範囲に止水部を形成することができる。このため、圧着接続構造体は、止水部の形成に要する工数を削減するとともに、重量やサイズの増加を抑制することができる。  
従って、圧着接続構造体は、圧着部と絶縁被覆とを圧着接続するとともに、止水部を形成することで、重量の増加を抑えて、より安定した止水性を確保することができる。
【００３３】
また、この発明の態様として、前記圧着部における前記導体露出部側に、前記長手方向に向けて延設するとともに、前記長手方向における先端を封止した封止部を備えることができる。  
この発明により、圧着端子は、圧着部における導体露出部側の開口からの水分の侵入を防止することができる。
【００３４】
さらに、封止部、及び上述の止水部により、圧着接続構造体は、圧着状態における圧着部の内部を密閉状態にすることができる。これにより、圧着接続構造体は、圧着部の内部への水分の侵入をより確実に防止することができる。  
従って、圧着接続構造体は、圧着状態における圧着部の内部を密閉状態にすることで、確実な止水性を確保するととともに、より安定した導電性を確保することができる。
【００３５】
また、この発明の態様として、前記電線導体を、アルミ系材料で構成するとともに、少なくとも前記圧着部を、銅系材料で構成することができる。  
この発明により、銅線による電線導体を有する被覆電線に比べて軽量化できるとともに、上述した確実な止水性により、いわゆる異種金属腐食（以下において電食という）を防止することができる。
【００３６】
詳しくは、被覆電線の電線導体に従来用いられていた銅系材料をアルミニウムあるいはアルミニウム合金などのアルミ系材料に置き換え、そのアルミ系材料製の電線導体を圧着端子に圧着した場合においては、端子材料の錫めっき、金めっき、銅合金等の貴な金属との接触により、卑な金属であるアルミ系材料が腐食される現象、すなわち電食が問題となる。
【００３７】
なお、電食とは、貴な金属と卑な金属とが接触している部位に水分が付着すると、腐食電流が生じ、卑な金属が腐食、溶解、消失等する現象である。この現象により、圧着端子の圧着部に圧着されたアルミ系材料製の導体部分が腐食、溶解、消失し、やがては電気抵抗が上昇する。その結果、十分な導電機能を果たせなくなるという問題があった。  
しかしながら、上述した確実な止水性により、銅系材料による導体部分を有する被覆電線に比べて軽量化を図りながら、いわゆる電食を防止することができる。
【００３８】
また、この発明は、上述した圧着接続構造体における圧着端子をコネクタハウジング内に配置したコネクタとすることができる。  
この発明により、圧着端子と電線導体を構成する金属種によらず、安定した導電性を確保したまま圧着端子を接続することができる。
【００３９】
詳述すると、例えば、雌型のコネクタと雄型のコネクタを互いに嵌合して、各コネクタのコネクタハウジング内に配置した圧着端子を互いに接続する際、止水性を確保したまま各コネクタの圧着端子を互いに接続することができる。  
従って、コネクタは、確実な導電性を備えた接続状態を確保することができる。
【発明の効果】
【００４０】
本発明により、絶縁被覆側からの水分の侵入を確実に防止できる圧着接続構造体、コネクタ、及び圧着接続構造体の製造方法を提供することができる。
【図面の簡単な説明】
【００４１】
【図１】圧着接続構造体における上方から外観を示す外観斜視図。
【図２】被覆電線、及び圧着端子における上方から外観を示す外観斜視図。
【図３】圧着部における溶接について説明する説明図。
【図４】図１中のＡ−Ａ矢視断面図。
【図５】圧着端子と被覆電線との圧着工程を説明する説明図。
【図６】止水部の形成工程を説明する説明図。
【図７】メス型コネクタとオス型コネクタとの接続対応状態を示す外観斜視図。
【図８】別の圧着接続構造体におけるＡ−Ａ矢視断面図。
【図９】実施例２における圧着接続構造体の上方からの外観を示す外観斜視図。
【図１０】実施例２における圧着接続構造体の底面を示す底面図。
【図１１】図９中のＢ−Ｂ矢視断面図。
【図１２】図１１中のＣ−Ｃ矢視における圧着接続構造体の一部断面を示す部分断面図。
【図１３】実施例２の圧着工程における圧着前のＢ−Ｂ矢視断面図。
【図１４】実施例２の圧着工程における圧着接続状態のＢ−Ｂ矢視断面図。
【発明を実施するための形態】
【００４２】
この発明の一実施形態を以下図面と共に説明する。  
【実施例１】
【００４３】
まず、実施例１における圧着接続構造体１について、図１から図４を用いて詳しく説明する。  
なお、図１は圧着接続構造体１における上方からの外観斜視図を示し、図２は被覆電線１００、及び圧着端子２００における上方からの外観斜視図を示し、図３は圧着部２３０における溶接について説明する説明図を示し、図４は図１中のＡ−Ａ矢視断面図を示している。
【００４４】
また、図１中において、矢印Ｘは長手方向を示し（以下「長手方向Ｘ」とする）、矢印Ｙは幅方向を示している（以下、「幅方向Ｙ」とする）。さらに、長手方向Ｘにおいて、後述するボックス部２１０側（図１中の左側）を前方とし、ボックス部２１０に対して後述する被覆電線１００側（図１中の右側）を後方とする。加えて、図１中の上側を上方とし、図１中の下側を下方とする。
【００４５】
圧着接続構造体１は、図１に示すように、被覆電線１００と、被覆電線１００に対して圧着接続した圧着端子２００と、圧着端子２００の後端近傍に設けた止水部３００とで構成している。  
被覆電線１００は、図２に示すように、複数のアルミニウム素線１０１ａを束ねたアルミニウム芯線１０１を、絶縁性樹脂で構成する絶縁被覆１０２で被覆して構成している。例えば、アルミニウム芯線１０１は、断面が０．７５ｍｍ２となるように、アルミニウム合金線を撚って構成している。さらに、被覆電線１００は、先端から長手方向Ｘに所定の長さだけ絶縁被覆１０２を剥がしてアルミニウム芯線１０１を露出させることで導体露出部１０３を構成している。
【００４６】
圧着端子２００は、図１及び図２に示すように、メス型端子であり、長手方向Ｘの前方から後方に向かって、図示を省略するオス型端子のオスタブの挿入を許容するボックス部２１０と、ボックス部２１０の後方で、所定の長さのトランジション部２２０を介して配置された圧着部２３０とを一体に構成している。
【００４７】
この圧着端子２００は、表面が錫メッキ（Ｓｎメッキ）された黄銅等の銅合金条（図示せず）を、平面展開した端子形状に打ち抜いた後、中空四角柱体のボックス部２１０と後方視略Ｏ型の圧着部２３０とからなる立体的な端子形状に曲げ加工するとともに、圧着部２３０を溶接して構成したクローズドバレル形式の端子である。
【００４８】
ボックス部２１０は、図１及び図２に示すように、底面部２１１（図４参照）における幅方向Ｙの両側に立設された側面部２１２の一方を、他方の端部に重なり合うように折り曲げて、長手方向Ｘの前方側から見て略矩形の倒位の中空四角柱体で構成されている。
【００４９】
さらに、ボックス部２１０の内部には、底面部２１１における長手方向Ｘの前方側を延設して、長手方向Ｘの後方に向かって折り曲げて形成するとともに、挿入されるオス型端子の挿入タブ（図示省略）に接触する弾性接触片２１３を備えている（図４参照）。
【００５０】
圧着部２３０は、図１及び図４に示すように、絶縁被覆１０２を圧着する被覆圧着部２３１と、導体露出部１０３を圧着する導体圧着部２３２とを一体で構成するとともに、導体圧着部２３２より前方端部を略平板状に押し潰すように変形させた封止部２３３とで構成している。なお、圧着部２３０は、長手方向Ｘの後方から、被覆圧着部２３１、導体圧着部２３２、及び封止部２３３の順番に配置して形成している。
【００５１】
この圧着部２３０は、図３に示すように、端子形状に打ち抜いた銅合金条を被覆電線１００の外径と略同等、もしくは被覆電線１００の外径より僅かに大きい内径で被覆電線１００の外周を包囲するように丸めるとともに、丸めた端部２３０ａ，２３０ｂ同士を突き合わせて長手方向Ｘの溶接個所Ｗ１に沿って溶接して後方視略Ｏ型に形成している。換言すると、圧着部２３０は、幅方向Ｙにおける断面形状を閉断面形状に形成している。
【００５２】
さらに、圧着部２３０の封止部２３３は、図３に示すように、圧着部２３０の長手方向Ｘの前端を閉塞するように幅方向Ｙの溶接個所Ｗ２に沿って溶接して封止している。  
つまり、圧着部２３０は、長手方向Ｘの前端、及び端部２３０ａ，２３０ｂ同士を溶着して閉塞して、長手方向Ｘの後方に開口を有する略筒状に形成している。
【００５３】
止水部３００は、図１及び図４に示すように、圧着部２３０の後端近傍において、被覆圧着部２３１及び被覆電線１００の外周面に密着するとともに、全周を覆うように形成している。  
より詳しくは、止水部３００は、長手方向Ｘにおいて、被覆圧着部２３１における所定の長さの範囲と、絶縁被覆１０２における所定の長さの範囲とを連続して覆うように形成している。
【００５４】
さらに、止水部３００は、幅方向Ｙの断面において、圧着部２３０及び被覆電線１００の周方向における全周を覆うように形成している。なお、止水部３００は、防水性を有する硬化性の合成樹脂、例えば、熱硬化性エポキシ樹脂で構成している。
【００５５】
次に、このような構成の圧着端子２００の圧着部２３０に被覆電線１００を挿入し、圧着部２３０を加締めて圧着するとともに、止水部３００を形成して圧着接続構造体１を構成する工程について、図５及び図６を用いて詳しく説明する。  
なお、図５は圧着端子２００と被覆電線１００との圧着工程を説明する説明図を示し、図６は止水部３００の形成工程を説明する説明図を示している。
【００５６】
また、図５（ａ）は圧着前における圧着端子２００と被覆電線１００とのＡ−Ａ矢視断面図を示し、図５（ｂ）は圧着接続状態における圧着端子２００と被覆電線１００とのＡ−Ａ矢視断面図を示している。  
さらに、図５において、要部を明確にするため、圧着端子２００におけるボックス部２１０の図示を省略している。
【００５７】
まず、圧着端子２００の圧着部２３０に対して、導体露出部１０３を形成した被覆電線１００を、図５（ａ）に示すように、導体露出部１０３が導体圧着部２３２に到達するまで後方から前方へ挿入する。この際、被覆電線１００の外径に対して圧着部２３０の内径が略同等、あるいは僅かに大きく形成されているため、被覆電線１００は、図５（ａ）に示すように、圧着部２３０に対して緩挿される。
【００５８】
その後、被覆電線１００を挿入した圧着端子２００の圧着部２３０に対して、上下方向に分割された一対の圧着金型１０で挟み込むようにして加締める。  
この一対の圧着金型１０は、図５に示すように、圧着端子２００に対して下方に位置するアンビル１１、及び圧着端子２００に対して上方に位置するクリンパ１２で構成している。さらに、上下方向に組み合わせた圧着金型１０の内面形状は、圧着後における導体圧着部２３２及び被覆圧着部２３１の外面形状に応じた形状に形成されている。
【００５９】
この一対の圧着金型１０で、被覆電線１００を挿入した圧着端子２００の圧着部２３０を挟み込むようにして加締めて、導体露出部１０３及び絶縁被覆１０２を圧着接続して圧着接続状態を構成する。  
より詳しくは、圧着接続状態における圧着端子２００及び被覆電線１００は、図５（ｂ）に示すように、圧着金型１０で導体圧着部２３２を加締めることで、導体圧着部２３２と導体露出部１０３とが導通可能に圧着接続される。さらに、圧着金型１０で被覆圧着部２３１を加締めることで、被覆圧着部２３１が絶縁被覆１０２を圧縮するようにして圧着接続される。
【００６０】
その後、圧着接続状態における圧着端子２００及び被覆電線１００に対して、熱硬化性エポキシ樹脂を塗布して止水部３００を形成する。  
具体的には、例えば、図６に示すように、エポキシ樹脂及び硬化剤を射出する塗布機２０などを用いて、上述した被覆圧着部２３１及び絶縁被覆１０２の範囲に対して、硬化剤を添加したエポキシ樹脂を塗布するとともに、エポキシ樹脂を硬化させて止水部３００を形成する。
【００６１】
この際、圧着接続状態における圧着端子２００及び被覆電線１００を、長手方向Ｘを回転軸とする回転方向Ｒに回転させて、圧着部２３０における被覆圧着部２３１の外周面、圧着部２３０と絶縁被覆１０２との段差、及び絶縁被覆１０２の外周面を覆うようにして、硬化剤を添加したエポキシ樹脂を塗布する。
【００６２】
このようにして圧着端子２００の圧着部２３０を加締めて被覆電線１００を圧着接続して、導体露出部１０３と導体圧着部２３２との導通性を確保するとともに、圧着部２３０の後端における止水性を確保した圧着接続構造体１を構成する。
【００６３】
次に、上述した圧着接続構造体１をコネクタハウジングの内部に装着したコネクタについて図７を用いて説明する。  
なお、図７はメス型コネクタ３１とオス型コネクタ４１との接続対応状態の外観斜視図を示し、図７中においてオス型コネクタ４１を二点鎖線で図示している。
【００６４】
メス型コネクタハウジング３２は、圧着端子２００を長手方向Ｘに沿って装着可能な複数の開口を内部に有して、幅方向Ｙにおける断面形状が略矩形状のボックス形状に形成している。このようなメス型コネクタハウジング３２の内部に対して、上述した圧着端子２００で構成した複数の圧着接続構造体１を長手方向Ｘに沿って装着してメス型コネクタ３１を備えたワイヤーハーネス３０を構成する。
【００６５】
また、メス型コネクタハウジング３２に対応するオス型コネクタハウジング４２は、メス型コネクタハウジング３２と同様に、オス型の圧着端子（図示省略）を装着可能な複数の開口を内部に有して、幅方向Ｙにおける断面形状が略矩形状であってメス型コネクタハウジング３２に対して凹凸対応して接続可能に形成している。
【００６６】
このようなオス型コネクタハウジング４２の内部に対して、オス型の圧着端子で構成した圧着接続構造体１を長手方向Ｘに沿って装着してオス型コネクタ４１を備えたワイヤーハーネス４０を構成する。  
そして、メス型コネクタ３１とオス型コネクタ４１とを嵌合することで、ワイヤーハーネス３０とワイヤーハーネス４０とを接続する。
【００６７】
以上のような構成を実現する圧着接続構造体１、メス型コネクタ３１、オス型コネクタ４１、及び圧着接続構造体１の製造方法は、絶縁被覆１０２側からの水分の侵入を確実に防止することができる。  
具体的には、圧着部２３０の外周面から絶縁被覆１０２の外周面にかけて連続するように塗布しているため、止水部３００は、圧着部２３０の外周面、圧着部２３０と絶縁被覆１０２との段差、及び絶縁被覆１０２の外周面に密着することができる。
【００６８】
このため、被覆圧着部２３１の内外径変化や絶縁被覆１０２の外径変化などによって被覆圧着部２３１が絶縁被覆１０２を圧縮する圧縮力が低下し、被覆圧着部２３１と絶縁被覆１０２との間に水分の侵入経路が形成された場合、圧着接続構造体１は、止水部３００により絶縁被覆１０２側から圧着部２３０の内部への水分の侵入を防止することができる。
【００６９】
あるいは、配索状態や振動によって被覆電線１００が湾曲することで、被覆圧着部２３１と絶縁被覆１０２との間に隙間が生じた場合、圧着接続構造体１は、止水部３００により絶縁被覆１０２側から圧着部２３０の内部への水分の侵入を防止することができる。  
これにより、圧着接続構造体１、及び圧着接続構造体１の製造方法は、長期間に渡って安定した止水性を確保することができるため、安定した導電性を確保することができる。
【００７０】
加えて、例えば、圧着部２３０と絶縁被覆１０２とを熱収縮チューブで覆った場合、熱収縮チューブを装着する工程、及び熱収縮チューブを過熱する工程が必要であるのに対して、圧着接続構造体１、及び圧着接続構造体１の製造方法は、塗布によって止水部３００を容易に形成することができる。  
従って、圧着接続構造体１、及び圧着接続構造体１の製造方法は、長期間に渡って絶縁被覆１０２側からの水分の侵入を確実に防止することができ、安定した導電性を確保することができる。
【００７１】
また、熱硬化性エポキシ樹脂を塗布するとともに、熱硬化性エポキシ樹脂を硬化させて止水部３００を形成することにより、圧着接続構造体１は、外的要因による止水性の低下をより確実に防止して、安定した止水性と導電性とを確保することができる。  
具体的には、例えば、圧着端子２００及び被覆電線１００を熱収縮チューブで覆った場合、自動車のような過酷な使用環境下では、熱収縮チューブの劣化が促進する、あるいは熱影響によって熱収縮チューブが軟化することで、安定した止水性を確保できないおそれがある。
【００７２】
これに対して、熱硬化エポキシ樹脂で止水部３００を形成したことで、圧着接続構造体１は、熱によって止水部３００が軟化して、止水性が低下することを防止できる。このため、圧着接続構造体１は、自動車のような過酷な使用環境下であっても、長期間に渡って安定した止水性を確保することができる。
【００７３】
さらに、振動などによる外力が被覆電線１００に加わった際、圧着接続構造体１は、硬化した止水部３００によって、被覆圧着部２３１の後端近傍における被覆電線１００の揺動角を小さくすることができる。このため、圧着接続構造体１は、被覆圧着部２３１の後端と接触して絶縁被覆１０２が損傷することを防止するとともに、被覆圧着部２３１の外周面及び絶縁被覆１０２の外周面から止水部３００が容易に剥離することを防止できる。
【００７４】
従って、圧着接続構造体１は、熱硬化性エポキシ樹脂を硬化させて止水部３００を形成することで、外的要因による止水性の低下を防止するとともに、より長期間に渡って安定した止水性と導電性とを確保することができる。
【００７５】
また、周方向における全周に止水部３００を形成したことにより、圧着接続構造体１は、より容易に止水性を向上するとともに、より安定した導電性を確保することができる。  
具体的には、例えば、圧着部２３０と絶縁被覆１０２との境界が露出した圧着状態では、長期間に渡って外気と触れることにより、被覆圧着部２３１の腐食や絶縁被覆１０２の劣化が生じることがある。このため、被覆圧着部２３１と絶縁被覆１０２との間に隙間が生じて止水性が低下するおそれがある。
【００７６】
これに対して、止水部３００を周方向における全周に形成することで、圧着接続構造体１は、圧着部２３０の後端近傍において、被覆圧着部２３１及び絶縁被覆１０２が外気と直接的に接触することを防止できる。このため、圧着接続構造体１は、外気と触れることによる被覆圧着部２３１の腐食や絶縁被覆１０２の劣化を止水部３００によって防止することができる。
【００７７】
これにより、圧着接続構造体１は、長期間に渡って安定した止水性、及び導電性を確保することができる。  
従って、圧着接続構造体１は、止水部３００を周方向に形成することで、より容易に止水性を向上するとともに、より安定した導電性を確保することができる。
【００７８】
また、圧着部２３０に封止部２３３を備えたことにより、圧着端子２００は、圧着部２３０における導体露出部１０３側の開口からの水分の侵入を防止することができる。さらに、封止部２３３、及び止水部３００により、圧着接続構造体１は、圧着状態における圧着部２３０の内部を密閉状態にすることができる。これにより、圧着接続構造体１は、圧着部２３０の内部への水分の侵入をより確実に防止することができる。  
従って、圧着接続構造体１は、圧着状態における圧着部２３０の内部を密閉状態にすることで、確実な止水性を確保するととともに、より安定した導電性を確保することができる。
【００７９】
また、被覆電線１００の芯線をアルミニウム合金で構成するとともに、圧着部２３０を銅合金で構成することにより、圧着接続構造体１は、銅線による芯線を有する被覆電線に比べて軽量化することができる。さらに、封止部２３３、及び止水部３００による確実な止水性により、異種金属で構成された圧着端子２００と被覆電線１００とによる電食の発生を防止することができる。
【００８０】
また、圧着接続構造体１における圧着端子２００をメス型コネクタハウジング３２内に配置したメス型コネクタ３１を構成したことにより、メス型コネクタハウジング３２の内に配置した圧着端子２００にオス型コネクタ４１の圧着端子を接続する際、止水性を確保したままメス型コネクタ３１の圧着端子２００をオス型コネクタ４１に接続することができる。  
従って、メス型コネクタ３１は、確実な導電性を備えた接続状態を確保することができる。
【００８１】
なお、上述の実施例１において、圧着接続状態における圧着端子２００及び被覆電線１００を回転させて熱硬化性エポキシ樹脂を塗布したが、これに限定せず、塗布機２０を回転させる、あるいは手作業で熱硬化性エポキシ樹脂を塗布してもよい。  
また、導体露出部１０３及び絶縁被覆１０２を圧着部２３０で圧着接続する構成としたが、これに限定せず、少なくとも導体圧着部２３２で導体露出部１０３を圧着接続する構成であればよい。
【００８２】
例えば、別の圧着接続構造体１におけるＡ−Ａ矢視断面図を示す図８のように、導体圧着部２３２と導体露出部１０３とを圧着接続し、被覆圧着部２３１と絶縁被覆１０２とを圧着接続していない圧着接続状態において、止水部３００を周方向の全周に形成した圧着接続構造体１であってもよい。
【００８３】
この際、周方向の全周に止水部３００を形成することで、圧着接続構造体１は、圧着部２３０と絶縁被覆１０２とを圧着接続することなく、絶縁被覆１０２側からの水分の侵入を防止することができる。このため、圧着接続構造体１は、例えば、圧着部２３０の内面にセレーションを形成する、あるいは圧着部２３０の内面と絶縁被覆１０２との間に接着材を介在させることを不要にすることができる。
【実施例２】
【００８４】
次に、上述の実施例１に対して、止水部の形成範囲が異なる圧着接続構造体２について、図９から図１２を用いて詳しく説明する。  
なお、図９は実施例２における圧着接続構造体２の上方からの外観斜視図を示し、図１０は実施例２における圧着接続構造体２の底面図を示し、図１１は図９中のＢ−Ｂ矢視断面図を示し、図１２は図１１中のＣ−Ｃ矢視における圧着接続構造体２の部分断面図を示している。  
また、上述の実施例１と同じ構成は同じ符号を付して、その詳細な説明を省略する。
【００８５】
実施例２における圧着接続構造体２は、図９に示すように、被覆電線１００と、被覆電線１００に対して圧着接続した圧着端子２００と、圧着端子２００の後端近傍に設けた２つ一組の止水部３０１とで構成している。  
圧着端子２００は、上述の実施例１における圧着端子２００と同一の構成であるが、図１１に示すように、被覆電線１００を圧着した圧着接続状態において、幅方向Ｙにおける外側に向けて突出した２つの突出部分２３４が被覆圧着部２３１に形成されている。なお、突出部分２３４については、後ほど詳しく説明する。
【００８６】
止水部３０１は、図１０から図１２に示すように、圧着部２３０の後端近傍において、被覆圧着部２３１及び被覆電線１００の外周面に密着するとともに、突出部分２３４を覆うように形成している。  
より詳しくは、止水部３００は、長手方向Ｘにおいて、被覆圧着部２３１における所定の長さの範囲と、絶縁被覆１０２における所定の長さの範囲とを連続して覆うように形成している。さらに、止水部３００は、幅方向Ｙの断面において、周方向における突出部分２３４の近傍の範囲を覆うように形成している。なお、止水部３００は、防水性を有する硬化性の合成樹脂、例えば、熱硬化性エポキシ樹脂で構成している。
【００８７】
次に、このような構成の圧着端子２００の圧着部２３０に被覆電線１００を挿入し、圧着部２３０を加締めて圧着するとともに、止水部３０１を形成して圧着接続構造体２を構成する工程について、図１３及び図１４を用いて詳しく説明する。  
なお、図１３は実施例２の圧着工程における圧着前のＢ−Ｂ矢視断面図を示し、図１４は実施例２の圧着工程における圧着接続状態のＢ−Ｂ矢視断面図を示している。
【００８８】
まず、上述の実施例１と同様に、圧着端子２００の圧着部２３０に対して、長手方向Ｘの後方から、導体露出部１０３が導体圧着部２３２に到達するまで被覆電線１００を挿入する。  
そして、被覆電線１００を挿入した圧着部２３０を所定の圧着金型で加締めて、導体露出部１０３と導体圧着部２３２とを圧着接続するとともに、絶縁被覆１０２と被覆圧着部２３１とを圧着接続する。この際、被覆圧着部２３１を、図１３に示すように、上下二分割された一対の雌雄金型５０で加締めて圧着する。
【００８９】
この一対の雌雄金型５０は、図１３及び図１４に示すように、被覆圧着部２３１を圧着可能な長手方向Ｘの長さを有して、上下二分割されたオス金型５１とメス金型５２とで構成している。  
オス金型５１は、幅方向Ｙにおける断面形状が、圧着端子２００における圧着部２３０の外径より僅かに小さい幅方向Ｙの長さを有する断面略矩形に形成している。そして、オス金型５１の上面には、幅方向Ｙにおける両端に設けた平面部５１ａの間に介在して、圧着部２３０の外径に対して僅かに小さい直径で下方に向けて凹設した断面略半円状のオス側凹部５１ｂを形成している。
【００９０】
メス金型５２は、オス金型５１が嵌合可能な大きさで、圧着部２３０の外径に対して僅かに小さい直径で略逆Ｕ字状に凹設したメス側凹部５２ａによって、幅方向Ｙにおける断面形状を略門型形状に形成している。  
なお、オス側凹部５１ｂ、及びメス側凹部５２ａは、オス金型５１とメス金型５２とを上下方向で組み合わせた際、断面略円形状の内面形状となるよう形成している。
【００９１】
被覆電線１００を挿入した圧着部２３０の被覆圧着部２３１に対して、上述した一対の雌雄金型５０を上下方向から押圧して加締めると、被覆圧着部２３１は、図１４に示すように、一対の雌雄金型５０の内面形状に沿うようにして塑性変形する。  
より詳しくは、被覆圧着部２３１の内周面は、図１４に示すように、被覆電線１００の絶縁被覆１０２を圧縮するようにして縮径される。一方、被覆圧着部２３１の外周面は、オス側凹部５１ｂ及びメス側凹部５２ａに沿うように縮径するとともに、オス金型５１の２つの平面部５１ａと断面略逆Ｕ字状のメス側凹部５２ａとによって、幅方向Ｙに突出して長手方向Ｘに延びる２つの突出部分２３４が形成される。
【００９２】
この突出部分２３４は、幅方向Ｙの外側に向けて塑性変形しているため、被覆圧着部２３１の他の部分が絶縁被覆１０２を圧縮する圧縮力に対して、絶縁被覆１０２を圧縮する圧縮力が小さくなる。このため、突出部分２３４によって、被覆圧着部２３１には、その圧縮率が小さい低圧縮部分１０２ａが形成される。  
このように被覆電線１００を挿入した圧着端子２００の圧着部２３０を、一対の雌雄金型５０で挟み込むようにして加締めて、導体露出部１０３及び絶縁被覆１０２の前端近傍を圧着接続して圧着接続状態を構成する。
【００９３】
その後、圧着接続状態における圧着端子２００及び被覆電線１００に対して、熱硬化性エポキシ樹脂を塗布して止水部３０１を形成する。  
具体的には、例えば、エポキシ樹脂及び硬化剤を射出する塗布機（図示省略）などを用いて、上述した被覆圧着部２３１の突出部分２３４における後端近傍の範囲に対して、硬化剤を添加したエポキシ樹脂を塗布するとともに、エポキシ樹脂を硬化させて止水部３０１を形成する。
【００９４】
この際、圧着接続状態の圧着端子２００及び被覆電線１００、あるいは塗布機を長手方向Ｘに移動させて、圧着部２３０における被覆圧着部２３１の外周面、圧着部２３０と絶縁被覆１０２との段差、及び絶縁被覆１０２の外周面に密着するように硬化剤を添加したエポキシ樹脂を塗布する。  
このように圧着端子２００の圧着部２３０を加締めて被覆電線１００を圧着接続して、導体露出部１０３と導体圧着部２３２との導通性を確保するとともに、圧着部２３０の後端における止水性を確保した圧着接続構造体２を構成する。
【００９５】
以上のような構成を実現する圧着接続構造体２は、重量やサイズの増加を抑えて、絶縁被覆１０２側からの水分の侵入を確実に防止することができる。  
具体的には、被覆圧着部２３１と絶縁被覆１０２とを圧着接続することにより、圧着接続構造体２は、被覆圧着部２３１が絶縁被覆１０２を圧縮することで、被覆圧着部２３１の内周面と絶縁被覆１０２の外周面との隙間を閉塞することができる。
【００９６】
この際、一対の雌雄金型５０で被覆圧着部２３１と絶縁被覆１０２とを圧着接続すると、一対の雌雄金型５０の内面形状に沿って圧着端子２００の被覆圧着部２３１が塑性変形するため、圧着後の被覆圧着部２３１の外周面には、一対の雌雄金型５０の境界部分に沿ってパーティングラインのように突出した２つの突出部分２３４が形成される。
【００９７】
この被覆圧着部２３１における突出部分２３４は、他の部分に対して塑性変形が十分でないため、他の部分に対して絶縁被覆１０２を圧縮する圧縮力が小さい部分となる。換言すると、圧着部２３０における突出部分２３４は、絶縁被覆１０２の反発力が不足して絶縁被覆１０２との密着性が低下した部分となる。このため、被覆圧着部２３１と絶縁被覆１０２とを圧着接続しても、圧着接続構造体２は、低圧縮部分１０２ａを介して圧着部２３０の内部に水分が侵入するおそれがあった。
【００９８】
これに対して、周方向において、圧着部２３０による絶縁被覆１０２の圧縮が不十分となる範囲、つまり上述したような突出部分２３４近傍の範囲に止水部３０１を形成することにより、圧着接続構造体２は、被覆圧着部２３１と絶縁被覆１０２とを圧着接続した際における止水性を向上することができる。
【００９９】
さらに、被覆圧着部２３１と絶縁被覆１０２とを圧着接続することで、圧着接続構造体２は、必要最低限の範囲に止水部３０１を形成することができる。このため、圧着接続構造体２は、止水部３０１の形成に要する工数を削減するとともに、重量やサイズの増加を抑制することができる。  
従って、圧着接続構造体２は、被覆圧着部２３１と絶縁被覆１０２とを圧着接続するとともに、止水部３０１を形成することで、重量やサイズの増加を抑えて、より安定した止水性を確保することができる。
【０１００】
なお、上述の実施例２において、突出部分２３４を覆うように止水部３０１を形成したが、これに限定せず、上述の実施例１と同様に周方向の全周を覆うように止水部を形成してもよい。  
また、上述の実施例１及び実施例２において、塗布機を用いて熱硬化性エポキシ樹脂を塗布したが、これに限定せず、熱硬化性エポキシ樹脂を手作業で塗布してもよい。
【０１０１】
また、熱硬化性エポキシ樹脂を塗布して止水部３００，３０１を形成したが、これに限定せず、止水部３００，３０１を形成できる方法であれば適宜の方法としてもよい。例えば、モールド成形で止水部３００，３０１を形成する、熱硬化性エポキシ樹脂を滴下して止水部３００，３０１を形成する、あるいは熱硬化性エポキシ樹脂を噴射して止水部３００，３０１を形成するなどしてもよい。
【０１０２】
また、硬化性の合成樹脂として熱硬化性エポキシ樹脂を用いて説明したが、これに限定せず、熱硬化する、紫外線硬化する、湿気硬化する、空気遮断により硬化する、あるいは化学反応により硬化するシリコン系樹脂、ウレタン系樹脂、あるいはアクリル系樹脂などであってもよい。
【０１０３】
また、圧着端子２００の被覆圧着部２３１における内周面に、長手方向Ｘにおける断面形状が凸凹状で、周方向に沿って溝状に形成したセレーションを設けてもよい。あるいは、被覆圧着部２３１の内周面と絶縁被覆１０２との間に、止水性を有する接着材などを設けてもよい。
【０１０４】
また、被覆電線１００における芯線をアルミニウム合金とし、圧着端子２００を黄銅等の銅合金としたが、これに限定せず、被覆電線１００における芯線、及び圧着端子２００を黄銅等の銅合金やアルミニウム合金などの同一金属で構成してもよい。  
また、圧着端子２００をメス型の圧着端子としたが、これに限定せず、メス型の圧着端子に対して長手方向Ｘに嵌合するオス型の圧着端子であってもよい。あるいは、ボックス部２１０ではなく略Ｕ字状あるいは環状の平板などであってもよい。
【０１０５】
また、端子形状に打ち抜いた銅合金条を丸めた端部２３０ａ，２３０ｂ同士を突き合わせて溶着して圧着部２３０を形成したが、これに限定せず、重ね合わせた端部を溶着して一体にした閉断面形状の圧着部２３０であってもよい。  
また、被覆圧着部２３１と導体圧着部２３２とが略同径の大きさとなるよう打ち抜いた銅合金条で圧着部２３０を形成したが、これに限定せず、被覆圧着部２３１及び導体圧着部２３２の内径がそれぞれ異なる大きさになるように打ち抜いた銅合金条で圧着部２３０を形成してもよい。
【０１０６】
また、圧着部２３０を円筒状に形成したが、これに限定せず、被覆電線１００を挿入可能な閉断面形状であれば適宜の形状としてもよい。  
また、圧着部２３０のアルミニウム芯線１０１側先端に封止部２３３を形成したが、これに限定せず、圧着部２３０の導体露出部１０３側先端を別部材でシールしてもよい。あるいは、封止部２３３などを設けず圧着部２３０の導体露出部１０３側先端が開口した圧着部２３０としてもよい。
【０１０７】
この発明の構成と、上述の実施形態との対応において、
この発明の電線導体は、実施形態のアルミニウム芯線１０１に対応し、
以下同様に、
硬化性の合成樹脂材は、熱硬化性エポキシ樹脂に対応し、
所定の範囲は、突出部分２３４の近傍に対応し、
コネクタハウジングは、メス型コネクタハウジング３２、及びオス型コネクタハウジング４２に対応し、
コネクタは、メス型コネクタ３１、及びオス型コネクタ４１に対応するが、
この発明は、上述の実施形態の構成のみに限定されるものではなく、多くの実施の形態を得ることができる。
【符号の説明】
【０１０８】
１…圧着接続構造体
２…圧着接続構造体
３１…メス型コネクタ
３２…メス型コネクタハウジング
４１…オス型コネクタ
４２…オス型コネクタハウジング
１００…被覆電線
１０１…アルミニウム芯線
１０２…絶縁被覆
１０３…導体露出部
２００…圧着端子
２３０…圧着部
２３３…封止部
３００…止水部
３０１…止水部
Ｘ…長手方向
【図１】
2014220167.tif 000003
【図２】
2014220167.tif 000004
【図３】
2014220167.tif 000005
【図４】
2014220167.tif 000006
【図５】
2014220167.tif 000007
【図６】
2014220167.tif 000008
【図７】
2014220167.tif 000009
【図８】
2014220167.tif 000010
【図９】
2014220167.tif 000011
【図１０】
2014220167.tif 000012
【図１１】
2014220167.tif 000013
【図１２】
2014220167.tif 000014
【図１３】
2014220167.tif 000015
【図１４】
2014220167.tif 000016